(57)【要約】      （修正有）【課題】棚板を上から移動させて取り付けることができるとともに、取り付けた棚板が上部に外れることが抑制できる棚受装置を提供する。【解決手段】棚板２を支持する支持部１０と、この支持部１０の棚板載置面１０ａに対して直交方向に延びる取付部１１と、この取付部１１の上方に延びヒンジ部１５により棚板載置面１０ａ側に折り返し可能に設けられた、ストッパー部１２と、を有し、ストッパー１２が折り返された状態で棚板載置面１０ａ上に棚板が載置される。【選択図】図８
2014236831.tif 000002
【特許請求の範囲】
【請求項１】
棚板を支持する支持部と、この支持部の棚板載置面に対して直交方向に延びる取付部と、この取付部の上方に延びヒンジ部により棚板載置面側に折り返し可能に設けられたストッパー部と、を有し、前記ストッパーが折り返された状態で棚板載置面上に棚板が載置されることを特徴とする棚受装置。
【請求項２】
前記ストッパー部の背面部には、凹凸部が形成されていることを特徴とする請求項１に記載の棚受装置。
【請求項３】
前記凹凸部は、ストッパー部を折り返した際に、前記棚板載置面側に先端が向かう、のこぎり歯状に形成されていることを特徴とする請求項２に記載の棚受装置。
【請求項４】
前記取付部に、棚板の装着方向に突出するバネ板部が設けられていることを特徴とする請求項１〜請求項３のいずれか１項に記載の棚受装置。
【発明の詳細な説明】
【技術分野】
【０００１】
この発明は、一般戸建て住宅、集合住宅、店舗や商業施設等のトイレ、洗面所、納戸、ウォーキングクローゼット、居室等の壁面間に棚板を取り付ける時に使用する棚板用の棚受装置に関し、主として、左右両壁面間に物品収納を目的として棚板を取り付ける際に用いられる棚受装置に関するものである。
【背景技術】
【０００２】
従来から左右壁面間に、断面がコの字型の棚板受具を取り付け、棚板を前方から差し込み、壁面間に棚板を橋渡しして取り付けることが行われている。
【０００３】
このような棚板の取り付け方法では、棚板を取り付けるスペースの前方に棚板の奥行き幅と同じスペースが最低なければ棚板を差し込むことができない。このため、棚板を取り付ける場所に制約があるという難点がある。
【０００４】
両壁面に取り付けられた棚板用受け具に、棚板を上方から乗せて橋渡しして取り付けるものが特許文献１に記載されている。この棚板用受け具は、棚板受け座を有する棚板受け本体の上部に着脱可能な上部カバーが設けられている。そして、両壁面に棚板受け本体を取り付けた後、棚板受け座に棚板をのせ、上部カバーを棚板受け本体に取り付けて、棚板を支持している。
【先行技術文献】
【特許文献】
【０００５】
【特許文献１】特開２００１―２９２８４６号公報
【発明の概要】
【発明が解決しようとする課題】
【０００６】
上記の特許文献１に記載のものは、棚板を上から移動させて棚受け用受け具にのせて、両壁間に棚板を橋渡しして取り付けることができる。しかし、棚板は、棚板受け座にのせているだけなので、棚板に下方向から上方向の力が加わると、棚板が外れる虞がある。また、棚板の厚さは、棚板受け座と上部カバーとの間の間隔で決まり、種々の厚さの棚板に対応することができないなどの難点ある。
【０００７】
この発明は、上記した従来の問題点を解決するためになされたものにして、棚板を上から移動させて取り付けることができるとともに、取り付けた棚板が上部に外れることが抑制できる棚受装置を提供することにある。
【課題を解決するための手段】
【０００８】
この発明の棚受装置は、棚板を支持する支持部と、この支持部の棚板載置面に対して直交方向に延びる取付部と、この取付部の上方に延びヒンジ部により棚板載置面側に折り返し可能に設けられたストッパー部と、を有し、前記ストッパーが折り返された状態で棚板載置面上に棚板が載置されるように構成される。
【０００９】
また、前記ストッパー部の背面部には、凹凸部を形成するとよく、この凹凸部は、ストッパー部を折り返した際に、前記棚板載置面側に先端が向かう、のこぎり歯状に形成するとよい。
【００１０】
また、前記取付部に、棚板の装着方向に突出するバネ板部を設けるとよい。
【発明の効果】
【００１１】
この発明は、ストッパー部を取付部側へ押しつけながら棚板を上方向から棚板載置面に載置することができ、棚板を棚板載置面に載置すると、棚板の側面とストッパー部が当接した状態となり、棚板の方向へストッパー部の復元力により、棚板を挟み込むように圧力がかかり、棚板の保持並びに固定が行え、棚板のずれや跳ね上がりが抑制できる。
【図面の簡単な説明】
【００１２】
【図１】この発明の一実施形態にかかる棚受装置の斜視図である。
【図２】この発明の一実施形態にかかる棚受装置の正面図である。
【図３】この発明の一実施形態にかかる棚受装置の背面図である。
【図４】この発明の一実施形態にかかる棚受装置の側面図である。
【図５】図３のＡ−Ａ’線断面図である。
【図６】図３のＢ−Ｂ’線断面図である。
【図７】この発明の一実施形態にかかる棚受装置のストッパー部の軌道を示す断面図である。
【図８】この発明の一実施形態にかかる棚受装置に棚板を取り付けた状態を示す部分断面図である。
【図９】この発明の一実施形態にかかる棚受装置を壁面に取りつける状態を示す斜視図である。
【図１０】この発明の一実施形態にかかる棚受装置を壁面に取りつける状態を示す説明図である。
【図１１】この発明の一実施形態にかかる棚受装置のストッパー部を押し下げる状態を示す斜視図である。
【図１２】この発明の一実施形態にかかる棚受装置のストッパー部を押し下げる状態を示す説明図である。
【図１３】この発明の一実施形態にかかる棚受装置に棚板を取り付ける状態を示す斜視図である。
【図１４】この発明の一実施形態にかかる棚受装置に棚板を取り付ける状態を示す説明図である。
【発明を実施するための形態】
【００１３】
この発明の実施の形態について図面を参照しながら詳細に説明する。なお、図中同一または相当部分には同一符号を付し、説明の重複を避けるためにその説明は繰返さない。図１は、この発明の一実施形態にかかる棚受装置の斜視図、図２は、同正面図、図３は、同背面図、図４は、同側面図である。
【００１４】
図に示すように、この実施形態の棚受装置１は、棚板を支持する支持部１０と、この支持部１０の棚板載置面１０ａに対して直交方向に延びる取付部１１と、取付部１１の上方に延びヒンジ部１５により棚板載置面１０ａ側に折り返し可能に設けられた、ストッパー部１２と、を有する。この棚受装置１は、ポリプロピレン等の樹脂により、支持部１０、取付部１１、ストッパー部１２及び後述するバネ板部１３が一体に形成されている。
【００１５】
上記支持部１０の下面１０ｂの先端側は円弧状に形成され、下から手が当たったときなどの安全性を保っている。
【００１６】
取付部１１とストッパー部１２とは、樹脂の素材特性により、ヒンジ部１５により折り返し可能に構成され、棚板の装着時にストッパー部１２の背面部１２ｂが棚板側面に当接するように構成されている。
【００１７】
ストッパー部１２の背面部１２ｂには、ストッパー部１２を折り返した際に、棚板載置面１０ａ側に先端が向かう、のこぎり歯状の凹凸部１６が設けられている。この凹凸部１６は、棚板の装着時に棚板側面に当接し、のこぎり歯状形状により、棚板側面に喰い込むように作用し、摩擦抵抗が大きくなり、装着された棚板の脱落を抑制する。
【００１８】
取付部１１には、壁面に取り付けるための２箇所のねじ穴１４が設けられている。この実施形態では、図６の断面図に示すように、皿穴形状のねじ穴１４を形成している。このねじ穴１４に木ねじなどを通し、壁面に棚受装置１を取り付ける。この取付部１１のねじ穴１４の内側に、それぞれ棚板の装着方向に突出する２個のバネ板部１３が設けられている。取付部１１のバネ板部１３の周囲には、窓部１３ａが設けられ、バネ板部１３が取付部１１側に押された際に、バネ板部１３が待避できるように構成されている。
【００１９】
このバネ板部１３は、ストッパー部１２を折り返した際に、ストッパー部１２の正面部１２ａと当接し、ストッパー部１２を棚板方向に付勢する。この実施形態では、バネ板部１３は、図５に示すように、棚板載置面１０ａに対して７８°の角度で設けられている。そして、図７に示すように、ストッパー部１２はヒンジ部１５を中心として図中矢印方向に回転し、バネ板部１３に正面部１２ａが当接する。棚板を装着する際には、このバネ板部１３の付勢力に抗して、ストッパー部１２を取付部１１側へ押しつけながら棚板が上方向から棚板載置面１０ａに載置される。図８に示すように、棚板２を棚板載置面１０ａに載置すると、棚板２の側面とストッパー部１２の凹凸部１６が当接した状態となる。そして、棚板２の方向へストッパー部１２の復元力、更に、バネ板部１３の付勢力が加わり、棚板２を挟み込むように圧力がかかり、棚板２の保持並びに固定が行え、棚板２のずれや跳ね上がりが抑制できる。
【００２０】
次に、この発明にかかる棚受装置１を用いた棚板２の取付方法につき、図９〜図１４を参照して説明する。図９及び図１０に示すように、木ねじ３をねじ穴１４に通し、ドライバなどを用いて壁面４に棚受装置１を取り付ける。この実施形態では、片側に２本の木ねじ３の締め付けを行い、両側の壁面４で４本の木ねじ３でねじ止めする。
【００２１】
壁面４、４間の寸法に対応した棚板２が用意される。図１１及び図１２に示すように、ストッパー部１２を押し下げる。ストッパー部１２を押し下げると、ヒンジ部１５を中心として、ストッパー部１２が回転し、ストッパー部１２の背面部１２ｂの凹凸部１６がそれぞれ対向する。
【００２２】
図１３及び図１４に示すように、棚板２をストッパー部１２に合わせ、棚板２を上側から棚板載置面１０ａ側へ押し下げ、棚板２の下面が棚板載置面１０ａに当接するまで押し下げる。この時、バネ板部１３の付勢力に抗して、ストッパー部１２を取付部１１側へ押しつけながら棚板２が上方向から棚板載置面１０ａに載置される。棚板２を棚板載置面１０ａに載置すると、棚板２の方向へストッパー部１２の復元力、更に、バネ板部１３の付勢力が加わり、棚板２を挟み込むように圧力がかかり、棚板２の保持並びに固定が行える。
【００２３】
そして、棚板２を取り付けると、ストッパー部１２と棚板２の端面が当接し、取付部１１と殆ど隙間がなく棚板２が取り付けられることになる。この結果、棚板２と壁面４との一体感等、仕上がりが美しく棚板２を設置できる。
【００２４】
また、棚板２の厚さは、ストッパー部１２の高さを超えるものでも十分対応することができ、棚板２の厚さのバリエションも豊富となる。
【００２５】
更に、棚板２と棚受装置１とは、ストッパー部１２の付勢力で支持しているため、付勢力以上の力で棚板２を持ち上げると、棚板２を棚受装置１から取り外すことができる。即ち、通常の使用では、棚板２がずれたり、外れたりはしないが、棚板２を取り付けた後に、背面に電気コードなどを通す必要が生じた場合等には、棚板２を簡単に取り外すことができる。そして、棚板２を背面に少し隙間を設けて、棚板２の位置を手前に変更して、棚板２を棚受装置１に取り付けることも可能である。
【００２６】
また、この実施形態の棚受装置１は、樹脂で形成されているため、錆や腐食の恐れがなく、耐水性、耐薬品性に優れている。そして、金属製に比べて軽量で取り扱い上の安全性が高い。
【００２７】
なお、この実施形態では、バネ板部１３を設けて、この付勢力で棚板２側への圧力を加えているが、バネ板部１３をなくし、ストッパー部１２の復元力で棚板２を保持するように構成してもよい。但し、この場合には、棚板２の保持力が若干落ちる。また、この実施形態では、凹凸部１６は、のこぎり歯状に形成しているが、その他、三角形状やサインカーブなどの凹凸に形成してもよい。
【００２８】
また、この実施形態では、ねじ穴１４を設け、木ねじ３で固定しているが、ねじ穴１４を設けなくても良い。また、石膏ボード用の細いピンを用いて壁面に棚受装置１を固定しても良い、更に、部屋等の壁面に限らず、書棚、食器棚の内壁面、店舗什器、展示会等のディスプレイ棚等の取りつけに、この発明の棚受装置１を用いることができる。
【００２９】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【００３０】
１      棚受装置
２      棚板
３      木ねじ
４      壁面
１０    支持部
１０ａ  載置部
１０ａ  棚板載置面
１０ｂ  下面
１１    取付部
１２    ストッパー部
１３    バネ板部
１３ａ  一面
１４    ねじ穴
１５    ヒンジ部
１６    凹凸部
【図１】
2014236831.tif 000003
【図２】
2014236831.tif 000004
【図３】
2014236831.tif 000005
【図４】
2014236831.tif 000006
【図５】
2014236831.tif 000007
【図６】
2014236831.tif 000008
【図７】
2014236831.tif 000009
【図８】
2014236831.tif 000010
【図９】
2014236831.tif 000011
【図１０】
2014236831.tif 000012
【図１１】
2014236831.tif 000013
【図１２】
2014236831.tif 000014
【図１３】
2014236831.tif 000015
【図１４】
2014236831.tif 000016